(57)【特許請求の範囲】
【請求項１】
プロピレン系樹脂を６５〜９５重量％、及び、比表面積が１０，０００〜４０，０００ｃｍ２／ｇ、平均粒径が０．５〜２．３μｍの無機微細粉末を５〜３５重量％の割合で含有するプロピレン系樹脂フィルムを延伸して得られるフィルム内部に微細な空孔を多数有する延伸フィルムよりなる基材層（Ａ）の一方の側の面に、プロピレン系樹脂を３５〜６５重量％、比表面積が２５，０００〜３００，０００ｃｍ２／ｇ、平均粒径が０．０７〜０．９μｍの無機微細粉末を３５〜６５重量％の割合で含有するプロピレン系樹脂フィルムの延伸フィルムよりなる表面層（Ｂ）を積層し、上記基材層（Ａ）のもう一方の側の面に、プロピレン系樹脂を３５〜９０重量％、及び、比表面積が１０，０００〜４０，０００ｃｍ２／ｇ、平均粒径が０．５〜２．３μｍの無機微細粉末を１０〜６５重量％の割合で含有するプロピレン系樹脂フィルムの延伸フィルムよりなる裏面層（Ｃ）を積層してなる支持体層(I) の表面層（Ｂ）側又は両面（Ｂ），（Ｃ）に、下記の組成の含窒素高分子化合物プライマーの水溶液を塗布・乾燥させてプライマー層(IIa,IIb) を形成し、該支持体層(I) の溶融インク転写面（表面層（Ｂ）側）と反対側の面（支持体層(I) の裏面層（Ｃ）側の面）に粘着剤層(III) を介して、肉厚が４０〜２５０μｍ、ＪＩＳ  Ｐ−８１２５試験法によるテーバー剛度（こわさ）１〜６０ｇ・ｆ・ｃｍのパルプ紙層(IV)を積層したことを特徴とする溶融熱転写記録用画像受容シート。
［含窒素高分子化合物プライマーの組成］
（ａ） 第三級又は第四級窒素含有アクリル系ポリマー： １００重量部
（ｂ） ポリエチレンイミン、ポリ（エチレンイミン−尿素）及びポリアミンポリアミドのエチレンイミン付加物、又は、これらのアルキル変性体、アルケニル変性体、ベンジル変性体、若しくは、脂肪族環状炭化水素変性体からなる群より選ばれたポリイミン系化合物： ２０〜２００重量部
（ｃ） ポリアミンポリアミドのエピクロルヒドリン付加物： ２０〜１００重量部
【請求項２】
表面層（Ｂ）に用いられる無機微細粉末が、比表面積が２５，０００〜４０，０００ｃｍ２／ｇ、平均粒径０．５〜０．９μｍの重質炭酸カルシウムである、請求項１に記載の溶融熱転写記録用画像受容シート。
【請求項３】
表面層（Ｂ）に用いられる無機微細粉末が、比表面積が４０，０００〜３００，０００ｃｍ２／ｇ、平均粒径０．０７〜０．５μｍのコロイダル炭酸カルシウム粉末である、請求項１に記載の溶融熱転写記録用画像受容シート。
【発明の詳細な説明】
【０００１】
【発明の属する技術分野】
本発明は、無機微細粉末含有ポリオレフィン系樹脂フィルムを延伸することにより得られる内部に微細空孔を有する樹脂フィルムに、パルプ紙を積層することにより、溶融熱転写方式のインク受容性を向上させた、鮮明な転写画像を得ることができる溶融熱転写記録用画像受容シートに関するものである。
【０００２】
【従来の技術】
熱転写記録法としては、昇華転写方式と溶融転写方式とに分けられている。
その中の一つである溶融熱転写方式は、図２に示すように、熱溶融性インク１ａ及びそれを支持する基体１ｂからなる熱転写インクリボン１と、熱転写画像受容シート２とを、熱源であるサーマルヘッド３ａ等を備えた印字ヘッド３とドラム４との間に挟着させて、図３に示すように、該サーマルヘッド３ａを電気信号にて制御することによって熱転写インクリボン１中の熱溶融性インク１ａを加熱して溶解されたインク１ｃを直接熱転写画像受容記録シート２に転写するものである。
この様な溶融転写方式の場合、支持体層（Ｉ）  そのものを熱転写画像受容記録シート２として用いたものでも良いが、該支持体層（Ｉ）  の表面に熱溶融性インク１ａと密着性の良好なポリエステル樹脂、エポキシ樹脂の層やプライマー層が設けてられていることが多い。
【０００３】
従って、これら熱転写画像受容記録シート２の支持体層（Ｉ）  は、一般に、パルプ紙や、焼成クレイ又は炭酸カルシウム等の無機微細粉末を含有するプロピレン系樹脂の延伸フィルムよりなる不透明の合成紙や、透明なポリエチレンテレフタレート延伸フィルム、或いは、透明なポリオレフィン系樹脂フィルム等の表面に、シリカや炭酸カルシウム等の無機微細粉末とバインダーとを含有するピグメント塗工剤を塗布することによって白色度及び染色性を高めた塗工合成紙等が用いられている。
しかし、感熱転写後の熱転写画像受容記録シート２の支持体層（Ｉ）  としては、強度、寸法安定性等の面から、無機微細粉末含有ポリオレフィン系樹脂フィルムを延伸することにより得られる、内部にマイクロボイド（微細空孔）を多数有する合成紙であることが好ましいとされている（特開昭６０−２４５５９３号、特開昭６１−１１２６９３号、特開昭６３−１９３８３６号、特開昭６３−２２２８９１号、特開平１−１１５６８７号、特開平３−２１６３８６号、特開平５−３０５７８０号各公報参照）。
これらの合成紙はフィルム内部にマイクロボイドを形成させることにより、不透明性、柔軟性、断熱効果による熱エネルギー効率、印字ヘッドとのクッション性が得られている。
【０００４】
上記溶融熱転写方式に用いられる熱転写記録用画像受容シート２において、支持体層(I) が上記の無機微細粉末含有ポリオレフィン系樹脂製延伸フィルムであって、なおかつ、画像受容層(II)として窒素含有高分子化合物の水溶性プライマーを用いたものは、高温、多湿の雰囲気下において、このプライマー層が吸湿性を有していて水分を多く含有していることから熱溶融性インクの転写が妨害されて、該熱溶融性インク１ｂが記録用画像受容シート２に転写され難く、その結果、バーコード等の印字に線切れが生じたり、画像が不鮮明になる等の問題があった。
この問題に関しては、支持体層(I) に含有される無機微細粉末を平均粒径０．０２〜０．５μｍ、比表面積が６０，０００〜３００，０００ｃｍ２／ｇのコロイダル炭酸カルシウム微粉末を３０〜６５重量％含有するポリオレフィン系樹脂フィルムの延伸物よりなる微多孔性の支持体層(I) を成形したものに、窒素含有高分子化合物の水溶性プライマーを塗工した溶融熱転写記録用画像受容シート２を用いることで、高温多湿の雰囲気下においても鮮明な熱転写画像が得られることが記載されている（特願平６−２１７５７１号参照）。
【０００５】
【発明が解決しようとする課題】
けれども、溶融熱転写方式に用いられる熱転写記録用画像受容シート２において、支持体層（Ｉ）  がポリオレフィン系樹脂製合成紙であって、画像受容層（ＩＩ）として窒素含有高分子化合物の水溶性プライマーを用いたものは、高温多湿の雰囲気下、特に夏期において、この熱溶融性インク１ｂの転写面（印刷面）となるプライマー層（ＩＩａ）  の吸湿度が高くなり、該インク転写面となるプライマー層（ＩＩａ）  の表面に蒸発した水分が保持された状態となっている。
そのために、溶融熱転写印字時の熱源によって加熱されたプライマー層（ＩＩａ）  より蒸発した水分が、熱溶融性インクの転写を妨害して、バーコード等の印字に線切れを生じさせたり、読み取り困難な程に文字をかすれさせるといったインク転写不良の問題を生じさせたり、或いは、印字面を指で擦ると印字が流れて惚けたり、かすれたりするといった、インク定着不良の問題が発生することが指摘されている。
従って、本発明は、高温多湿下においてもこれらインク定着不良の問題が生じることのない溶融転写方式に用いられる熱転写記録用画像受容シート２の提供を目的とするものである。
【０００６】
【課題を解決するための手段】
本発明者は、上記問題点に鑑みて鋭意研究を重ねた結果、熱転写記録用画像受容シート２の支持体層（Ｉ）  の裏面側にパルプ紙を積層することにより、インクリボンと支持体層（Ｉ）  との間の密着性と支持体層（Ｉ）  自体の剛性を向上させることにより、インクリボンと支持体層（Ｉ）  との間に空隙が生じることが無くなり、比表面積の比較的小さい無機微細粉末を含有した支持体層（Ｉ）  であっても熱溶融性インクの受理性／転写性がより一層改善されて、高温多湿の条件下のインク定着不良の問題が発生し易い状況下においても鮮明な画像の転写を行なうことができるとの知見に基づき本発明を完成するに至ったものである。
すなわち、本発明の溶融熱転写記録用画像受容シート２は、プロピレン系樹脂を６５〜９５重量％、及び、比表面積が１０，０００〜４０，０００ｃｍ２  ／ｇ、平均粒径が０．５〜２．３μｍの無機微細粉末を５〜３５重量％の割合で含有するプロピレン系樹脂フィルムを延伸して得られるフィルム内部に微細な空孔を多数含有する延伸フィルムよりなる基材層（Ａ）の一方の側の面に、プロピレン系樹脂を３５〜６５重量％、比表面積が２５，０００〜３００，０００ｃｍ２  ／ｇ、平均粒径が０．０７〜０．９μｍの無機微細粉末を３５〜６５重量％の割合で含有するプロピレン系樹脂フィルムの延伸フィルムよりなる表面層（Ｂ）を積層し、上記基材層（Ａ）のもう一方の側の面に、プロピレン系樹脂を３５〜９０重量％、及び、比表面積が１０，０００〜４０，０００ｃｍ２  ／ｇ、平均粒径が０．５〜２．３μｍの無機微細粉末を１０〜６５重量％の割合で含有するプロピレン系樹脂フィルムの延伸フィルムよりなる裏面層（Ｃ）を積層してなる支持体層（Ｉ）  の表面層（Ｂ）又は両面（Ｂ），（Ｃ）に、下記の組成の含窒素高分子化合物プライマーの水溶液を塗布・乾燥させてプライマー層（ＩＩａ，ＩＩｂ）  を形成し、該支持体層（Ｉ）  の溶融インク転写面（表面層（Ｂ）側）と反対側の面（支持体層（Ｉ）  の裏面層（Ｃ）側の面）に粘着剤層（ＩＩＩ）  を介して、厚みが４０〜２５０μｍ、テーバー剛度（こわさ）１〜６０ｇ・ｆ・ｃｍのパルプ紙（ＩＶ）を積層したことを特徴とするものである。
【０００７】
［含窒素高分子化合物プライマーの組成］
（ａ） 第三級又は第四級窒素含有アクリル系ポリマー： １００重量部
（ｂ） ポリエチレンイミン、ポリ（エチレンイミン−尿素）及びポリアミンポリアミドのエチレンイミン付加物、又は、これらのアルキル変性体、アルケニル変性体、ベンジル変性体、若しくは、脂肪族環状炭化水素変性体からなる群より選ばれたポリイミン系化合物： ２０〜２００重量部
（ｃ） ポリアミンポリアミドのエピクロルヒドリン付加物： ２０〜１００重量部
【０００８】
【発明の実施の形態】
［Ｉ］  支持体層（Ｉ）
（１）  層構成
本発明の溶融熱転写記録用画像受容シート２に用いられる支持体層（Ｉ）  としては、プロピレン系樹脂６５〜９５重量％、及び、比表面積が１０，０００〜４０，０００ｃｍ２  ／ｇの無機微細粉末を５〜３５重量％含有するプロピレン系樹脂フィルムを延伸することにより得られたフィルム内部に微細な空孔を多数有する延伸フィルムよりなる基材層（Ａ）の一方の側の面に、溶融インクの転写面（印刷面）としてプロピレン系樹脂を３５〜６５重量％、及び、比表面積が２５，０００〜３００，０００ｃｍ２  ／ｇの無機微細粉末を３５〜６５重量％の割合で含有するプロピレン系樹脂フィルムの延伸フィルムよりなる表面層（Ｂ）を積層し、上記基材層（Ａ）のもう一方の側の面に、プロピレン系樹脂を３５〜９０重量％、及び、比表面積が１０，０００〜４０，０００ｃｍ２  ／ｇの無機微細粉末を１０〜６５重量％の割合で含有するプロピレン系樹脂フィルムの延伸フィルムよりなる裏面層（Ｃ）を積層してなる微多孔性の延伸樹脂フィルムである。
【０００９】
（ａ）  基材層（Ａ）
構  成
上記フィルム内部に微細な空孔を多数有する延伸フィルムよりなる基材層（Ａ）は、プロピレン系樹脂６５〜９５重量％、好ましくは７５〜９５重量％、特に好ましくは８０〜９５重量％、及び、比表面積が１０，０００〜４０，０００ｃｍ２  ／ｇ、好ましくは１５，０００〜３０，０００ｃｍ２  ／ｇ、特に好ましくは１５，０００〜２８，０００ｃｍ２  ／ｇの無機微細粉末を５〜３５重量％、好ましくは５〜２５重量％、特に好ましくは５〜２０重量％含有するプロピレン系樹脂組成物（Ａ）をフィルム状に成形し、それを二軸延伸することにより得られたプロピレン系樹脂延伸フィルムである。
性  状
該基材層（Ａ）はフィルム内部に３〜２０μｍ程度のラクビー状の微細な空孔を多数有する延伸フィルムよりなり、この微細な空孔によって不透明性や白色度を増し、延伸によって引張強度等の強度を増加させている。
【００１０】
（ｂ）  表面層（Ｂ）
構  成
プロピレン系樹脂フィルムの延伸フィルムよりなる表面層（Ｂ）は、プロピレン系樹脂を３５〜６５重量％、好ましくは４０〜５５重量％、及び、比表面積が２５，０００〜３００，０００ｃｍ２  ／ｇ、好ましくはインクの転写性、高速印刷性の面から４０，０００〜３００，０００ｃｍ２  ／ｇ、インクの乾燥性、支持体の不透明性の面から３０，０００〜４５，０００ｃｍ２  ／ｇの無機微細粉末を３５〜６５重量％、好ましくは４５〜６０重量％の割合で含有するプロピレン系樹脂組成物（Ｂ）をフィルム状に成形し、それを一軸又は二軸延伸することにより得られたプロピレン系樹脂延伸フィルムである。
性  状
表面層（Ｂ）は、無機微細粉末を比較的多量に含有しており、延伸により表面を疎面化することによりインクの付着性を向上させて、溶融インクの転写性を良好にし、印刷面に適した性能としている。
また、微細な空孔によって不透明性や白色度を増し、延伸によって引張強度、曲げ強度等の強度を増加させている。
【００１１】
（ｃ）  裏面層（Ｃ）
構  成
プロピレン系樹脂フィルムの延伸フィルムよりなる裏面層（Ｃ）は、プロピレン系樹脂を３５〜９０重量％、好ましくは５５〜８５重量％、及び、比表面積が１０，０００〜４０，０００ｃｍ２  ／ｇ、好ましくは筆記性の面から１２，０００〜３５，０００ｃｍ２  ／ｇの無機微細粉末を１０〜６５重量％、好ましくは１５〜４５重量％の割合で含有するプロピレン系樹脂組成物（Ｃ）をフィルム状に成形し、それを一軸又は二軸延伸することにより得られたプロピレン系樹脂延伸フィルムである。
性  状
裏面層（Ｃ）は、フィルム内部に微細な空孔を多数有する延伸フィルムよりなり、この微細な空孔によって不透明性や白色度を増し、延伸によって引張強度等の強度を増加させている。
【００１２】
（２）  積  層（支持体層（Ｉ）  の形成）
延伸フィルムの形成
上記無機微細粉末を種々の濃度で含有するプロピレン系樹脂組成物（Ａ）、（Ｂ）及び（Ｃ）を、それぞれ別々の押出機を用いて溶融・混練し、インフレーション成形、Ｔ−ダイ成形等にて成膜化したプロピレン系樹脂フィルムを、プロピレン系樹脂の融点よりも低い温度で、それぞれを少なくとも一軸方向に延伸して不透明な樹脂フィルムを成形する。
積  層
積層は延伸前に行なっても良く、延伸後に行なっても良い。また、一層を延伸した後、これに他の層を積層させて、前記延伸方向と直角の方向に再度延伸することにより、例えば、基材層（Ａ）が二軸延伸物とし、表面層（Ｂ）及び（Ｃ）を一軸延伸物とした積層樹脂フィルムよりなる合成紙として形成しても良い。
上記延伸は、縦方向又は横方向の一軸延伸に、或いは、縦及び横方向の二軸延伸にテンター、マンドレル、ロール群等を用いて行なわれる。
【００１３】
（３）  素  材
（ａ）  プロピレン系樹脂
上記基材層（Ａ）、表面層（Ｂ）及び裏面層（Ｃ）を構成するプロピレン系樹脂組成物（Ａ）、（Ｂ）及び（Ｃ）の主原材料となるプロピレン系樹脂としては、プロピレン単独重合体、或いは、プロピレンを主成分とし、これに少量のエチレン、ブテン−１、ヘキセン−１、ヘプテン−１、４−メチルペンテン−１等のα−オレフィンを共重合させたプロピレン・α−オレフィン共重合体が使用される。
このプロピレン・α−オレフィン共重合体は、ランダム共重合体でもブロック共重合体であっても良い。好ましくは、メルトフローレート（ＪＩＳ  Ｋ−７２１０；２３０℃、２．１６ｋｇ荷重）が０．５〜５０ｇ／１０分、好ましくは０．８〜１５ｇ／１０分、特に好ましくは１〜１２ｇ／１０分、結晶化度（Ｘ線法）が２０％以上、特に好ましくは４０〜７５％、融点が１４０〜１９０℃、好ましくは１６４〜１８０℃のものが良い。
【００１４】
（ｂ）  無機微細粉末
上記基材層（Ａ）、表面層（Ｂ）及び裏面層（Ｃ）を構成するプロピレン系樹脂組成物（Ａ）、（Ｂ）及び（Ｃ）の原材料となる無機微細粉末としては、炭酸カルシウム、重質炭酸カルシウム、コロイダル炭酸カルシウム、焼成クレイ、珪藻土、タルク、二酸化チタン、硫酸バリウム、硫酸アルミニウム、シリカ、又は、これらの混合物を用いることができる。
これらの中でも支持体の表面層用の無機微細粉末としては、比表面積が３５，０００〜４５，０００ｃｍ２  ／ｇの重質炭酸カルシウム又は比表面積が６０，０００ｃｍ２  ／ｇ以上のコロイダル炭酸カルシウムを用いることが好ましく、特にコロイダル炭酸カルシウムを用いることが好ましい。
上記重質炭酸カルシウムとしては、石灰石をハンマーミル等で微細に粉砕し、分級・篩分けした炭酸カルシウムである。
【００１５】
また、コロイダル炭酸カルシウムとしては、生石灰を水和した石灰乳に、炭酸ガスを吹き込むことにより生成した炭酸カルシウム結晶、又は、ソーダ灰に塩化カルシウムを反応させて生成した炭酸カルシウム結晶を補集し、乾燥させたもの等を挙げることができる。
上記コロイダル炭酸カルシウムは、粒径が０．５μｍ以下、好ましくは０．０２〜０．２μｍ、比表面積（ＢＥＴ法）が６０，０００〜３００，０００ｃｍ２  ／ｇが好ましく、特に好ましくは１００，０００〜２５０，０００ｃｍ２  ／ｇのものである。これらのコロイダル炭酸カルシウムは、例えば、白石工業（株）製ブリリアント１５（商品名）、丸尾カルシウム（株）製ＭＳＫ−ＰＯやカルファイン１００（商品名）等として販売されている。
コロイダル炭酸カルシウムの粒径が０．５μｍを超えると支持体層（Ｉ）  の表面平滑度が粗くなり、高速印字性に劣る傾向がある。また、比表面積を６０，０００ｃｍ２  ／ｇ以上と大きくすることができず、プライマー層が吸湿した水分を吸収することが不十分となって、印字の画像が低下する傾向がある。
コロイダル炭酸カルシウムの粉末製造技術では、現在のところ、粒径が０．０２μｍ未満のものや、比表面積（ＢＥＴ法）が３００，０００ｃｍ２  ／ｇを超えるものを得ることができない。
【００１６】
比表面積
無機微細粉末の物性測定機械としては、比表面積として、島津製作所（株）製恒圧通気式比表面積測定装置「ＳＳ−１００」（商品名）が用いられる。
また、平均粒径として、レーザー回折式粒子径測定装置「マイクロトラック」が用いられる。重量累計の５０％に当たる粒径で表わされる。
【００１７】
（ｃ）  任意成分
上記プロピレン系樹脂組成物（Ａ）、（Ｂ）及び（Ｃ）の原材料としては、上記プロピレン系樹脂及び無機微細粉末以外の任意の成分を本発明の目的を著しく損なわない範囲で配合することができる。
これら任意の成分の具体例としては、例えば、安定剤、紫外線吸収剤、酸化防止剤、滑剤、分散剤等を挙げることができる。また、必要により、樹脂分の３０重量％以下を高密度ポリエチレン、分岐状低密度ポリエチレン等に置き換えても良い。
無機微細粉末には、必要により、耐候性や白色度を増すために、粒径が０．３〜１．５μｍの二酸化チタンを０．５〜８重量％含有させることができる。
【００１８】
（４）  支持体層（Ｉ）  の性状
この支持体層（Ｉ）  は内部に微細な空孔（ボイド）を有しており、その微細な空孔（ボイド）の量は、次式で算出される空孔率で２０〜６０％、好ましくは２５〜５０％の範囲のものである。
【００１９】
0003623286.tif 000002
【００２０】
上記空孔率が２０％未満の場合は支持体層（Ｉ）  の不透明度が十分でなくなる。また、空孔率が６０％を超える場合は支持体層（Ｉ）  の腰が弱くなり、ラベル加工や印刷作業性の能率が低下する。
また、この支持体層（Ｉ）  は、不透明度（ＪＩＳ  Ｐ−８１３８）が８５％以上、好ましくは９０〜１００％、白色度（ＪＩＳ  Ｌ−１０１５）が８０〜１００％、転写される側のベック平滑度（ＪＩＳ  Ｐ−８１１９）が５５０〜３０，０００秒、好ましくは１，０００〜３，０００秒、中心線平均粗さ（ＪＩＳ  Ｌ−１０１５）が０．５μｍ以下、好ましくは０．１〜０．４５μｍ、厚みが４０〜３００μｍ、好ましくは６０〜２００μｍのものである。
支持体層（Ｉ）  の不透明度が８０％未満であると、ドラム缶、ガスボンベ、鉄鋼板等に貼られた管理ラベルのバーコードを読み取る際に、下地が透けて見えるために印字された黒色のバーコード部分と白地の部分のコントラストが低下して、バーコードの読み取りにエラーが生じる虞がある。
【００２１】
［ＩＩ］  プライマー層（ＩＩａ），（ＩＩｂ）
（１）  層構成
上記支持体層（Ｉ）  の表面層（Ｂ）には、支持体の帯電防止性を良好なものとするためと熱溶融インクの受容を向上させる熱転写画像受容層（ＩＩ）を成形するために含窒素高分子化合物プライマー層（ＩＩａ）  が形成されている。
また、上記支持体層（Ｉ）  の裏面層（Ｃ）には、粘着剤層（ＩＩＩ）  を介してパルプ紙層（ＩＶ）を貼り合わせるための含窒素高分子化合物プライマー層（ＩＩｂ）  が形成されている。
【００２２】
(2)   構成成分
含窒素高分子化合物プライマー層(IIa,IIb) を形成する水溶性の含窒素高分子化合物プライマーとしては、次の（ａ），（ｂ）及び（ｃ）成分を以下の割合で配合したものである。
（ａ）成分： 第三級又は第四級窒素含有アクリル系ポリマー： １００重量部
（ｂ）成分： ポリエチレンイミン、ポリ（エチレンイミン−尿素）又はポリアミンポリアミドのエチレンイミン付加物、或いは、これらのアルキル変性体、アルケニル変性体、ベンジル変性体、若しくは、脂肪族環状炭化水素変性体からなる群より選ばれたポリイミン系化合物： ２０〜２００重量部
（ｃ）成分： ポリアミンポリアミドのエピクロルヒドリン付加物： ２０〜１００重量部
【００２３】
（３）  構成素材
（ａ）  第三級又は第四級窒素含有アクリル系ポリマー［（ａ）成分］
上記（ａ）成分の第三級又は第四級窒素含有アクリル系ポリマーとしては、以下に示す▲１▼〜▲３▼成分の共重合体を挙げることができる。
▲１▼成分：下記の化学式（Ｉ）  〜（ＶＩＩ）  に示される化合物より選ばれた少なくと
も一種の単量体                                        ：４〜９４重量％
化学式（Ｉ）  ：
【００２４】
【化１】
0003623286.tif 000003
化学式（ＩＩ）：
【００２５】
【化２】
0003623286.tif 000004
化学式（ＩＩＩ）  ：
【００２６】
【化３】
0003623286.tif 000005
化学式（ＩＶ）：
【００２７】
【化４】
0003623286.tif 000006
化学式（Ｖ）  ：
【００２８】
【化５】
0003623286.tif 000007
化学式（ＶＩ）：
【００２９】
【化６】
0003623286.tif 000008
化学式（ＶＩＩ）  ：
【００３０】
【化７】
0003623286.tif 000009
【００３１】
［上記各式（Ｉ）  〜（ＶＩＩ）  中におけるＲ１  は水素又はメチル基を、Ｒ２  及びＲ３  はそれぞれ低級アルキル基（好ましくは炭素数が１〜４、特に好ましくは炭素数が１〜２）を、Ｒ４  は炭素数が１〜２２の飽和又は不飽和アルキル基若しくはシクロアルキル基を、Ｘ−は四級化されたＮ＋の対アニオン（例えば、ハライド、特にクロライド）を、Ｍはアルカリ金属イオン（例えば、ナトリウム、カリウム）を、Ａは炭素数２〜６のアルキレン基を表わす。］
これらの単量体の中でも化学式（ＶＩ）の化合物を用いることが好ましい。
【００３２】
▲２▼成分：（メタ）アクリル酸エステル                  ：６〜８０重量％
化学式（ＶＩＩＩ）：
【００３３】
【化８】
0003623286.tif 000010
【００３４】
［式中、Ｒ１  は水素又はメチル基を、Ｒ５  は炭素数１〜２４のアルキル基、アルキレン基、シクロアルキル基を表わす。］
具体的には、ブチルアクリレート、カプリルアクリレート、ステアリルメタアクリレート等を挙げることができる。
【００３５】
▲３▼成分：他の疎水性ビニル単量体                      ：０〜２０重量％
疎水性ビニル単量体の具体例としては、スチレン、塩化ビニル等を挙げることができる。
上記（ａ）成分の第三級窒素又は第四級窒素含有アクリル系ポリマーの中でも特に好ましい帯電防止性を示す水溶性ポリマーとしては、▲１▼成分の単量体が前記化学式（ＶＩ）で表わされる単量体の中でＸ−がＣｌ−のものであり、このものは三菱化学（株）より「サフトマー  ＳＴ−１０００」、「サフトマー  ＳＴ−１１００」、「サフトマー  ＳＴ−１３００」、「サフトマー  ＳＴ−３２００」の各商品名として販売されている。
【００３６】
（ｂ）  ポリイミン系化合物［（ｂ）成分］
上記（ｂ）成分のポリイミン系化合物としては、重合度が２００〜３，０００のポリエチレンイミン、ポリ（エチレン−尿素）、ポリアミンポリアミドのエチレンイミン化合物、次式で示されるポリエチレンイミン変性体等を挙げることができる。
化学式（ＩＸ）：
【００３７】
【化９】
0003623286.tif 000011
【００３８】
［式中、Ｚは
化学式（Ｘ）  ：
【００３９】
【化１０】
0003623286.tif 000012
【００４０】
又はポリアミン・ポリアミド残基を表わし、Ｒ６  〜Ｒ９  はそれぞれ独立に、水素、炭素数が１〜２４のアルキル基、シクロアルキル基又はベンジル基であるが、少なくとも一つは水素以外の基を表わし、ｍは０〜３００、ｎ，ｐ及びｑはそれぞれ１〜３００の数値を表わす。］
このポリエチレンイミン変性体は、ポリエチレンイミン又はポリアミンポリアミドのポリエチレンイミン付加物を、炭素数が１〜２４のハロゲン化アルキル、ハロゲン化アルケニル、ハロゲン化シクロアルキル又はハロゲン化ベンジル等のハロゲン化物を変性剤として用いられたものである。
【００４１】
（ｃ）  ポリアミンポリアミドのポリアミド・エピクロルヒドリン付加物［（ｃ）成分］
上記（ｃ）成分のポリアミンポリアミドのポリアミド・エピクロルヒドリン付加物としては、炭素数３〜１０の飽和二塩基性カルボン酸とポリアルキレンポリアミンとからポリアミドをエピクロルヒドリンと反応させて得られる水溶性で陽イオン性の熱硬化性樹脂である。この様な熱硬化性樹脂の詳細については、特公昭３５−３５４７号公報に詳細に述べられている。
上記炭素数３〜１０の飽和二塩基性カルボン酸の具体例としては、炭素数４〜８のジカルボン酸、特にアジピン酸等を挙げることができる。
また、上記ポリアルキレンポリアミンの具体例としては、ポリエチレンポリアミン、特にエチレンジアミン、ジエチレントリアミン、トリエチレンテトラアミンであり、就中ジエチレントリアミンである。
【００４２】
（４）  配合割合
プライマーは、帯電防止性を有する（ａ）成分と、接着性をより強固にするための（ｂ）成分、及び、架橋的作用を有する（ｃ）成分の三成分を併用する。
その混合比率（固形分比）は、（ａ）成分１００重量部に対し、（ｂ）成分２０〜３００重量部、好ましくは２５〜２００重量部、（ｃ）成分２０〜３００重量部、好ましくは３０〜１００重量部の割合で配合されたものである。
必要により、水溶性の無機塩、例えば炭酸ナトリウム、硫酸ナトリウム、亜硫酸ナトリウム、明礬、ポリ燐酸ナトリウム等を前記（ａ）成分１００重量部に対して、５〜２０重量部の割合で配合しても良い。
これら、プライマーには、更に、エチルアルコール、イソプロピルアルコール等の水溶性有機溶媒、界面活性剤、エチレングリコール、ポリビニルアルコール等の水溶性重合剤、その他の補助資材を含有させることができる。
このプライマーは、通常、固形分量が一般に０．１〜１０重量％、好ましくは０．１〜５重量％の濃度の水溶液として用いられる。
【００４３】
（５）  塗  布
（ａ）  塗布量
プライマーの樹脂フィルムへの塗布量は、固形分量で０．００５〜１０ｇ／ｍ２  、好ましくは０．０２〜５ｇ／ｍ２  である。
（ｂ）  塗布装置
プライマーの塗布装置としては、ロール、ブレード、エアーナイフ、サイズプレス等を利用した塗布装置を使用することができる。
【００４４】
［ＩＩＩ］  粘着剤層（ＩＩＩ）
上記支持体層（Ｉ）  の裏面層（Ｃ）に積層された含窒素高分子化合物プライマー層（ＩＩｂ）  の裏面層（Ｃ）と反対側の面には、パルプ紙層（ＩＶ）を貼り合わせるための粘着剤層（ＩＩＩ）  が形成される。
粘着剤層（ＩＩＩ）  としては、公知の粘着剤を使用することができる。具体的には、カゼイン、ポリビニルアルコール、各種加工澱粉、ポリアクリルアミド、カルボキシメチルセルロース、メチルセルロースや、カルボキシ変性スチレン・ブタジエンラテックス、アクリロニトリル・ブタジエンラテックス、メチルメタクリル・ブタジエンラテックス等のゴム系粘着剤、アクリルエマルジョン等のアクリル系粘着剤、シリコーン系粘着剤、ビニール系粘着剤等を挙げることができる。
これらの粘着剤の中でも、ゴム系粘着剤を用いることが好ましい。
該粘着剤層（ＩＩＩ）  は、固形分量で２５〜１５０ｇ／ｍ２  、好ましくは５０〜１２０ｇ／ｍ２  を塗布されて、肉厚が２０〜１４０μｍ、好ましくは４５〜１１０μｍにて形成される。
また、該粘着剤層（ＩＩＩ）  は、予めパルプ紙層（ＩＶ）に形成しておき、加熱により融着して積層することもできる。
【００４５】
（ｂ）  塗布装置
該粘着剤の塗布装置としては、上記プライマーの塗布装置と同様のものをも使用することができる。
【００４６】
［ＩＶ］  パルプ紙層（ＩＶ）
（１）  パルプ紙
パルプ紙層（ＩＶ）は、肉厚が４０〜２５０μｍ、テーバー剛度（こわさ）１〜６０ｇ・ｆ・ｃｍのもの、好ましくは肉厚が５０〜１８０μｍ、坪量が４０〜２２０ｇ／ｍ２  、テーバー剛度（こわさ）が１．５〜３０ｇ・ｆ・ｃｍのパルプ紙が使用される。
上記パルプ紙のテーバー剛度（こわさ）の測定には、ＪＩＳ  Ｐ−８１２５試験法によりテーバー式スティフネテスターを用いて測定することができる。
具体的なパルプ紙としては、上質紙、アート紙、クラフト紙、グラシン紙、パーチメント紙、コート紙、壁紙、裏打ち用紙、合成樹脂又はエマルジョン含浸紙、板紙、シリコン油、塗布剥離紙等を挙げることができる。
なお、このパルプ紙の片面又は両面は、ポリエチレン、ポリ塩化ビニリデン、クレー含有バインダー、ＰＶＡ、澱粉、ＣＭＣ等の各種目止め剤、及び、シリコーン等で表面処理されていても良い。
【００４７】
（２）  貼合方法
支持体層（Ｉ）  とパルプ紙層（ＩＶ）の貼合方法としては、公知の粘着剤を用いたラミネート法と同様の方法で行なうことができる。
貼合方法の具体例としては、粘着剤の形態及び塗工方法により、例えば、湿式ラミネート、乾式ラミネート、押出ラミネート、熱溶融ラミネート、サーマルラミネート等を挙げることができる。
更に、貼合わせにおいて用いられる粘着剤の種類、粘着剤の量及び貼合方法については、支持体層（Ｉ）  とパルプ紙層（ＩＶ）の材質に応じて適宜選択して使用される。
【００４８】
［Ｖ］  溶融熱転写記録用画像受容シート
（１）  層構成
上記の様にして形成された溶融熱転写記録用画像受容シートは、図１に示すように、溶融インクの転写面（印刷面）として、下記の組成の含窒素高分子化合物プライマーの水溶液を塗布・乾燥させて形成したプライマー層（ＩＩａ）  が形成されており、そのプライマー層（ＩＩａ）  の下面に、プロピレン系樹脂を３５〜６５重量％、比表面積が２５，０００〜３００，０００ｃｍ２  ／ｇ、平均粒径が０．０７〜０．９μｍの無機微細粉末を３５〜６５重量％の割合で含有するプロピレン系樹脂フィルムの延伸フィルムよりなる表面層（Ｂ）が形成されている。
そして、その表面層（Ｂ）のプライマー層（ＩＩａ）  を積層する反対側の面には、プロピレン系樹脂を６５〜９５重量％、及び、比表面積が１０，０００〜４０，０００ｃｍ２  ／ｇ、平均粒径が０．５〜２．３μｍの無機微細粉末を５〜３５重量％の割合で含有するプロピレン系樹脂フィルムを延伸して得られるフィルム内部に微細な空孔を多数有する延伸フィルムよりなる基材層（Ａ）が形成されている。
該基材層（Ａ）の表面層（Ｂ）を積層する反対側の面には、プロピレン系樹脂を３５〜９０重量％、及び、比表面積が１０，０００〜４０，０００ｃｍ２  ／ｇ、平均粒径が０．５〜２．３μｍの無機微細粉末を１０〜６５重量％の割合で含有するプロピレン系樹脂フィルムの延伸フィルムよりなる裏面層（Ｃ）が積層されている。
そして、これら表面層（Ｂ）、基材層（Ａ）及び裏面層（Ｃ）によって支持体層（Ｉ）  を形成している。
更に、裏面層（Ｃ）には、下記の組成の含窒素高分子化合物プライマーの水溶液を塗布・乾燥させて形成したプライマー層（ＩＩｂ）  が形成されている。
そして、そのプライマー層（ＩＩｂ）  の下面には、粘着剤層（ＩＩＩ）  を介して、肉厚が４０〜２５０μｍ、坪量が４０〜２２０ｇ／ｍ２  、テーバー剛度（こわさ）１〜６０ｇ・ｆ・ｃｍのパルプ紙層（ＩＶ）が積層されている。
【００４９】
［含窒素高分子化合物プライマーの組成］
（ａ） 第三級又は第四級窒素含有アクリル系ポリマー： １００重量部
（ｂ） ポリエチレンイミン、ポリ（エチレンイミン−尿素）及びポリアミンポリアミドのエチレンイミン付加物、又は、これらのアルキル変性体、アルケニル変性体、ベンジル変性体、若しくは、脂肪族環状炭化水素変性体からなる群より選ばれたポリイミン系化合物： ２０〜２００重量部
（ｃ） ポリアミンポリアミドのエピクロルヒドリン付加物： ２０〜１００重量部
【００５０】
（ｂ）  効  果
この様にして得られる本発明の溶融熱転写記録用画像受容シート２は、支持体層（Ｉ）  のポリオレフィン系樹脂製合成紙に配合された無機微細粉末の比表面積が大きいことや、支持体延伸時に微細粉末を核とした微細なボイドが支持体層（Ｉ）  の表面に多数形成されていることから、プライマー層（ＩＩａ）  の水分が熱源により加熱されて蒸発しても、上記無機微細粉末及び微細なボイドに逃げ場ができるために、高温多湿の条件下にあっても溶融インクの転写が妨害され難いとの利点がある。
また、表面層の無機微細粉末としてコロイダル炭酸カルシウムを用いた場合、無機微細粉末の粒径が細かいので、画像受容シート（ＩＩ）の表面は平滑となり、インクリボンとの密着も良好となり、転写性も良く、高速印字が可能となる。
更に、支持体層（Ｉ）  の裏面にパルプ紙層（ＩＶ）を積層することにより、インクリボン１と溶融熱転写記録用画像受容シート２との間の密着性及び支持体の剛性が向上し、インクリボン１と溶融熱転写記録用画像受容シート２との間に空隙が生じることも無くなり、比表面積の比較的小さい無機微細粉末を含有した支持体層（Ｉ）  であっても溶融インクの受理性／転写性は改善されるので、高温多湿の条件下にあっても鮮明な画像の転写が可能となる。
更に、無機微細粉末として重質炭酸カルシウムを用いる場合には、優れたコストメリットと、色沈みのない良好なインク転移濃度を得ることができる。
また、無機微細粉末としてコロイダル炭酸カルシウムを用いる場合には、重質炭酸カルシウムに比べて、より良好な溶融インクの転移性と表面強度を得ることができる。
【００５１】
【実施例】
以下に示す実施例及び比較例によって、本発明を更に具体的に説明する。
実施例１
支持体層の製造
（１）  メルトフローレート（ＭＦＲ）０．８ｇ／１０分のポリプロピレン（融点約１６４〜１６７℃）８１重量％に、高密度ポリエチレン３重量％及び平均粒径１．５μｍ、比表面積が１５，０００ｃｍ２  ／ｇの炭酸カルシウム１６重量％を混合した組成物（Ａ）を、２７０℃の温度に設定した押出機にて混練させた後、シート状に押し出し、更に、冷却装置により冷却して無延伸シートを得た。そして、このシートを１５０℃の温度にまで再度加熱した後、縦方向に５倍の延伸を行なって５倍縦延伸樹脂フィルムを得た。
【００５２】
（２）  ＭＦＲが０．３ｇ／１０分のポリプロピレン（融点約１６４〜１６７℃）５０重量％と、平均粒径０．１５μｍ、比表面積が１１５，０００ｃｍ２  ／ｇのコロイダル炭酸カルシウム５０重量％とを混合した組成物（Ｂ）を、２１０℃の温度に設定した別の押出機にて混練させた後、これをダイによりシート状に押し出し、これを上記（１）の工程で得られた５倍縦延伸フィルムの片面に積層し、二層構造の積層フィルムを得た。
【００５３】
（３）  上記組成物（Ａ）と同一の組成物（Ｃ）を、２１０℃の温度に設定した更に別の押出機にて混練させた後、これをダイによりシート状に押し出し、これを上記（１）の工程で得られた５倍縦延伸フィルムのもう一方の片面に積層し、三層構造の積層フィルムを得た。
次いで、この三層構造の積層フィルムを６０℃の温度にまで冷却した後、再度１５５℃の温度にまで加熱してテンターを用いて横方向に７．５倍延伸し、１６５℃の温度でアニーリング処理して６０℃の温度にまで冷却し、両面をコロナ放電処理した後、耳部をスリットして三層構造（一軸延伸／二軸延伸／一軸延伸）の肉厚８０μｍ（Ｂ／Ａ／Ｃ＝２０μｍ／４０μｍ／２０μｍ）の白色度９６％、不透明度９０％、空孔率３３％、Ｂ層の平滑度２，０００秒、Ｂ層の光沢度９２％の積層延伸樹脂フィルムを得て、これを支持体層とした。
【００５４】
プライマー層の形成
（ａ）成分の窒素含有アクリルポリマーとして、次の化学式（ＸＩ）で表わされる分子鎖を含む化合物が選択された。
化学式（ＸＩ）
【００５５】
【化１１】
0003623286.tif 000013
【００５６】
この中には（ａ−１）三菱化学（株）製水溶性アクリル系帯電防止剤「ＳＴ−３２００」、「ＳＴ−１１００」（いずれも商品名）が含まれる。
（ｂ）成分のポリイミン化合物として、（ｂ−１）ＢＡＳＦ製ポリエチレンイミン「ポリミンＳＮ」及び（ｂ−２）ブチル化ポリエチレンイミン：ポリエチレンイミンにブチルクロライドを反応させて得られた三菱化学（株）製「サフトマーＡＣ−７２」（いずれも商品名）が含まれる。
（ｃ）成分のポリアミンポリアミドのエピクロルヒドリン付加物として、大日本インキ（株）製「ＷＳ−５７０（商品名）」を使用した。
（ｄ）上記の他に、無機塩として炭酸ナトリウムを添加した。
上記（ａ）〜（ｄ）を固形分濃度が下記の表１に示す配合量で配合し、水で希釈した組成物を、各実施例の支持体に塗布し、乾燥させて支持体の表面にプライマー層を設けた。
【００５７】
【表１】
0003623286.tif 000014
【００５８】
パルプ紙の積層
粘着剤塗工、貼合わせに用いる機器としてドライラミネーターを用い、厚み１５０μｍ、剛度１２ｇ・ｆ・ｃｍのシリコン油塗布クラフト紙に溶剤系の強粘着剤（東洋インキ（株）製「オリバインＢＰＳ−１１０９」（商品名））を固形分２５ｇ／ｍ２  となる様にナイフコーターを用いて塗工し、これをオーブン中９５℃で乾燥させ、乾式ラミネート法により支持体と貼合わせて溶融熱転写記録用画像受容シートとした。
【００５９】
評  価
上記溶融熱転写記録用画像受容シートを以下のように評価した。
（１）  溶融熱転写印字性
熱転写画像受容シートの片面に、東京電器（株）製印字装置「バーコードプリンター  Ｂ−３０−Ｓ５」と（株）リコーの熱溶融型インキリボン「ワックス型Ｂ１１０Ａ」又は「樹脂型Ｂ１１０Ｃ」（商品名）を用い、２３℃、５０％相対湿度の恒温室と、３５℃、相対湿度８５％の恒温室でバーコードの印字を行なった。
［印字評価］
印字の外観を目視で次のように評価分けした。
５：良好…鮮明な画像が得られる。
４：可  …文字にかすれ等が見られるが、実用レベルは維持している。
３：不可…バーコード印字等に線切れが生じる。
２：不可…印字文字の読取りが困難。
１：不可…ほぼインキが転写しない。
［給排紙性、走行性］
○：良好
×：通過せず
【００６０】
［インキ転移性］
Ｔ＆Ｋ  ＴＯＫＡのＵＶインキ「Ｌ−カートン墨」（商品名）を用い、ＲＩ転色機で転色（１．５ｇ／ｍ２  の量）させた後、ＵＶ照射機で乾燥させ、マクベス濃度計にてスミベタ濃度を測定した。
［表面強度］
ボンドテスター試験機を用い、印字面の表面強度を調べた。
結果を表２に示す。
【００６１】
【表２】
0003623286.tif 000015
【００６２】
比較例１
実施例１において、パルプ紙を貼り合わせしない以外は実施例１と同様にして溶融熱転写記録用画像受容シートを得た。
【００６３】
比較例２
実施例１において、支持体の合成紙の表面層（Ｂ）側に、プライマー組成物（ＩＩ）を塗布しない以外は実施例１と同様にして溶融熱転写記録用画像受容シートを得た。
【００６４】
比較例３
実施例１において、貼り合わせするパルプ紙として坪量２５ｇ／ｍ２  （肉厚２２μｍ）のグラシン紙を用いる以外は実施例１と同様にして溶融熱転写記録用画像受容シートを得た。
【００６５】
実施例２
前記実施例１において、組成物（Ｂ）をポリプロピレン５０重量％と、平均粒径０．１５μｍ、比表面積が１１５，０００ｃｍ２  ／ｇのコロイダル炭酸カルシウム１０重量％、及び平均粒径０．７０μｍ、比表面積が３２，０００ｃｍ２  ／ｇの炭酸カルシウム４０重量％を混合した組成物を用いる以外は実施例１と同様にして、白色度９７％、不透明度９０％、空孔率３４％、（Ｂ）層の平滑度１，２５０秒、光沢度２３％の積層延伸樹脂フィルムを得て、これを支持体層として溶融熱転写記録用画像受容シートを得た。
【００６６】
実施例３
前記実施例１において、組成物（Ｂ）をポリプロピレン５０重量％と、平均粒径０．７０μｍ、比表面積が３２，０００ｃｍ２  ／ｇの炭酸カルシウム５０重量％の組成物を用いる以外は実施例１と同様にして、白色度９７％、不透明度９０％、空孔率３６％、（Ｂ）層の平滑度１，０００秒、光沢度１５％の積層延伸樹脂フィルムを得て、これを支持体層として溶融熱転写記録用画像受容シートを得た。
【００６７】
実施例４
実施例３において、プライマー組成物として表１に示す［Ｉ］のプライマー組成物を用いる以外は実施例３と同様にして溶融熱転写記録用画像受容シートを得た。
【００６８】
実施例５
実施例３において、貼り合わせするパルプ紙として肉厚が５８μｍの上質紙（テーバー剛度１．８ｇ・ｆ・ｃｍ）を用いる以外は実施例３と同様にして溶融熱転写記録用画像受容シートを得た。
【００６９】
比較例４
実施例３において、パルプ紙の貼り合わせを行なわない以外は実施例３と同様にして溶融熱転写記録用画像受容シートを得た。
【００７０】
比較例５
実施例３において、プライマー［ＩＩ］の代わりにプライマー［ＩＩＩ］を用いる以外は実施例３と同様にして溶融熱転写記録用画像受容シートを得た。
【００７１】
比較例６
実施例３において、組成物（Ｂ）をポリプロピレン３０重量％と、平均粒径０．７０μｍ、比表面積が３２，０００ｃｍ２  ／ｇの炭酸カルシウム７０重量％の組成物を用いる以外は実施例３と同様にして、白色度９７％、不透明度９４％、空孔率４２％、（Ｂ）層の平滑度４５０秒、光沢度１０％の積層延伸樹脂フィルムを得て、これを支持体層とし、溶融熱転写記録用画像受容シートを得た。
【００７２】
比較例７
実施例３において、組成物（Ｂ）をポリプロピレン７０重量％と、平均粒径０．７０μｍ、比表面積が３２，０００ｃｍ２  ／ｇの炭酸カルシウム３０重量％の組成物を用いる以外は実施例３と同様にして、白色度９７％、不透明度８８％、空孔率３８％、（Ｂ）層の平滑度１，４００秒、光沢度２０％の積層延伸樹脂フィルムを得て、これを支持体層とし、溶融熱転写記録用画像受容シートを得た。
【００７３】
比較例８
実施例３において、プライマー［ＩＩ］を塗布しない以外は実施例３と同様にして溶融熱転写記録用画像受容シートを得た。
【００７４】
比較例９
実施例３において、貼り合わせするパルプ紙として肉厚３００μｍ（テーバー剛度９０ｇ・ｆ・ｃｍ、坪量２８９ｇ／ｍ２  ）のクラフト紙を用いる以外は実施例１と同様にして溶融熱転写記録用画像受容シートを得た。
【００７５】
比較例１０
実施例１において、組成物（Ｂ）をポリプロピレン５０重量％と、平均粒径１．５μｍ、比表面積が１５，０００ｃｍ２  ／ｇの重質炭酸カルシウム５０重量％を混合した組成物を用いる以外は実施例１と同様にして得た支持体を用い、溶融熱転写記録用画像受容シートを得た。
これら溶融熱転写記録用画像受容シートを評価した結果を表２に示す。
【００７６】
【発明の効果】
この様な本発明の溶融熱転写記録用画像受容シートは、支持体層のポリオレフィン系樹脂製合成紙に配合された無機微細粉末の比表面積が大きいことや、微細粉末を核としてポリオレフィンが延伸されて生じた微細な表面亀裂が支持体層の表面に多数形成されていることから、プライマー層の水分が熱源により加熱されて蒸発しても、上記無機微細粉末及び微細な亀裂に逃げ場ができるために、高温多湿の条件下にあっても溶融インクの転写が妨害され難いとの利点がある。
また、無機微細粉末の粒径が細かいので、画像受容シートの表面は平滑となり、インクリボンとの密着も良好となり、転写性も良く、高速印字が可能となる。更に、支持体層（Ｉ）  の裏面にパルプ紙層（ＩＶ）を積層することにより、インクリボン１と溶融熱転写記録用画像受容シート２との間の密着性及び支持体の剛性が向上し、インクリボン１と溶融熱転写記録用画像受容シート２との間に空隙が生じることも無くなり、比表面積の比較的小さい無機微細粉末を含有した支持体層（Ｉ）  であっても溶融インクの受理性／転写性は改善されるので、高温多湿の条件下にあっても鮮明な画像の転写が可能となる。
【図面の簡単な説明】
【図１】図１は本発明の溶融熱転写記録用画像受容シートの断面図である。
【図２】図２は昇華型熱転写方式の印字装置の概略断面図を表わす。
【図３】図３は熱転写方式の印字装置の概略断面図を表わす。
【符号の説明】
１  熱転写インクリボン
１ａ  熱溶融性インク
１ｂ  基体
１ｃ  溶解されて転写されたインク
２  画像記録用受容記録シート
Ｉ  支持体層
Ａ  基材層
Ｂ  表面層
Ｃ  裏面層
ＩＩ  熱転写画像受容層
ＩＩａ，ＩＩｂ    プライマー層
ＩＩＩ    粘着剤層
ＩＶ  パルプ紙層
３  印字ヘッド
３ａ  サーマルヘッド
４  ドラム
【図１】
0003623286.tif 000016
【図２】
0003623286.tif 000017
【図３】
0003623286.tif 000018